(57)【要約】【課題】たとえばＷ折りされた連続用紙にシワを実質的に発生させることなく、その搬送方向を変更して後続の処理装置へ導くことのできる機構。【解決手段】重ね合わせ連続用紙の搬送方向を変更する機構。第１の方向に導入される連続用紙（１０）の一方の面（１０ｃ）に当接してその搬送方向を第２の方向に変更して導き出す第１ガイドロール（１，２）と、第１ガイドロールを介して第２の方向に導入される連続用紙の一方の面に当接してその搬送方向を第３の方向に変更して導き出す第２ガイドロール（３）と、第１ガイドロールと第２ガイドロールとの間に配置され、連続用紙の他方の面（１０ｄ）に当接して押圧するための第３ガイドロール（４，５）とを備えている。【選択図】　図１
2004083227.tif 000002
【特許請求の範囲】
【請求項１】
重ね合わせ連続用紙の搬送方向を変更する機構において、
第１の方向に導入される連続用紙の一方の面に当接してその搬送方向を第２の方向に変更して導き出すための第１ガイドロールと、
前記第１ガイドロールを介して前記第２の方向に導入される連続用紙の前記一方の面に当接してその搬送方向を第３の方向に変更して導き出すための第２ガイドロールと、
前記第１ガイドロールと前記第２ガイドロールとの間に配置され、連続用紙の他方の面に当接して押圧するための第３ガイドロールとを備えていることを特徴とする搬送方向変更機構。
【請求項２】
前記重ね合わせ連続用紙は、１枚の用紙を折り畳んだ形態を有することを特徴とする請求項１に記載の搬送方向変更機構。
【請求項３】
前記重ね合わせ連続用紙は、複数枚の用紙を重ね合わせた形態を有することを特徴とする請求項１に記載の搬送方向変更機構。
【請求項４】
前記第１ガイドロール、前記第２ガイドロールまたは前記第３ガイドロールを複数備えていることを特徴とする請求項１乃至３のいずれか１項に記載の搬送方向変更機構。
【発明の詳細な説明】
【０００１】
【発明の属する技術分野】
本発明は、重ね合わせ連続用紙の搬送方向変更機構に関し、特にＷ折りされた連続用紙の搬送方向を変更して後続の処理装置へ導く機構に関するものである。
【０００２】
【従来の技術】
近年、人目に触れられたくない情報をはがきの形態で郵送するための手段として、いわゆる隠蔽はがきが用いられている。隠蔽はがきでは、貼り合わせ前の展開状態において、その用紙の所定領域に個人情報などが印刷されている。隠蔽はがきの形態として、Ｖ折り（２つ折）形態、Ｚ折り（３つ折り）形態、Ｗ折（４つ折り）形態などが知られている。
【０００３】
【発明が解決しようとする課題】
特に、Ｗ折り形態を有する隠蔽はがきは、情報印刷の可能な６つの面を有するので多くの情報を印刷することができ、接着面を剥がした展開状態において隠蔽情報面が見易いという利点がある。本出願人は、特願２００２−１８２２７７において、Ｗ折り形態を有する隠蔽はがきの製造に適用可能で、連続用紙を迅速に且つ安定的にＷ状に折り畳むことのできるＷ折り装置を提案している。
【０００４】
Ｗ折り形態を有する隠蔽はがきの製造ラインでは、たとえば上述のＷ折り装置を介してＷ折りされた連続用紙の搬送方向を変更して後続の処理装置へ導く機構が必要になる。この場合、従来技術によれば、連続用紙の搬送方向を変更する機構としてガイドロールを用いるのが通常であるが、Ｗ折りされた連続用紙の搬送方向を通常のガイドロールにより変更すると、連続用紙にシワが発生して製造不良の原因になり易い。
【０００５】
本発明は、前述の課題に鑑みてなされたものであり、たとえばＷ折りされた連続用紙にシワを実質的に発生させることなく、その搬送方向を変更して後続の処理装置へ導くことのできる機構を提供することを目的とする。
【０００６】
【課題を解決するための手段】
前記課題を解決するために、本発明では、重ね合わせ連続用紙の搬送方向を変更する機構において、
第１の方向に導入される連続用紙の一方の面に当接してその搬送方向を第２の方向に変更して導き出すための第１ガイドロールと、
前記第１ガイドロールを介して前記第２の方向に導入される連続用紙の前記一方の面に当接してその搬送方向を第３の方向に変更して導き出すための第２ガイドロールと、
前記第１ガイドロールと前記第２ガイドロールとの間に配置され、連続用紙の他方の面に当接して押圧するための第３ガイドロールとを備えていることを特徴とする搬送方向変更機構を提供する。
【０００７】
本発明の好ましい態様によれば、前記重ね合わせ連続用紙は、１枚の用紙を折り畳んだ形態、または複数枚の用紙を重ね合わせた形態を有する。また、前記第１ガイドロール、前記第２ガイドロールまたは前記第３ガイドロールを複数備えていることが好ましい。
【０００８】
【発明の実施の形態】
本発明の実施形態を、添付図面に基づいて説明する。
図１は、本発明の実施形態にかかる搬送方向変更機構の構成を概略的に示す図である。また、図２は、Ｗ折りされた連続用紙の搬送方向を従来技術にしたがって通常のガイドロールにより変更すると連続用紙にシワが発生する様子を説明する図である。
【０００９】
本実施形態では、Ｗ折りされた連続用紙の搬送方向の変更に対して本発明を適用している。まず、本実施形態の説明に先立って、従来技術における問題点について具体的に説明する。前述したように、Ｗ折り形態を有する隠蔽はがきの製造ラインではＷ折りされた連続用紙の搬送方向を変更して後続の処理装置へ導く機構が必要になるが、従来技術によれば、図２（ａ）に示すように、Ｗ折りされた連続用紙１０の搬送方向を変更する機構としてガイドロール１１を用いるのが通常である。
【００１０】
この場合、ガイドロール１１の縦断面図である図２（ｂ）を参照すると、Ｗ折りされた連続用紙１０の搬送方向を通常のガイドロール１１により変更する際に、連続用紙１０の最上紙１０ａと最下紙１０ｂとの間に大きな距離差が発生し、さらにガイドロール１１への巻き付き圧力により、結果として連続用紙１０に、特にその最下紙１０ｂにシワが発生する。
【００１１】
この点は、複数枚の用紙を重ね合わせた形態を有する連続用紙においても同様である。本明細書では、たとえばＷ折りされた連続用紙１０のように１枚の用紙を折り畳んだ形態を有する連続用紙と、複数枚の用紙を重ね合わせた形態を有する連続用紙とを総称して、「重ね合わせ連続用紙」という。ちなみに、１枚の連続用紙の場合には、通常のガイドロール１１により搬送方向を変更してもシワは発生しない。
【００１２】
本実施形態の搬送方向変更機構は、図１に示すように、鉛直方向上向き（第１の方向）に導入される連続用紙１０の一方の面１０ｃに当接してその搬送方向を水平方向左向き（第２の方向）に変更して導き出すための第１ガイドロールとして、僅かに間隔を隔てて配置された２つのガイドロール１および２を備えている。ここで、ガイドロール１における接触角度は１４度であり、ガイドロール２における接触角度は９２度である。
【００１３】
また、本実施形態の搬送方向変更機構は、第１ガイドロール（１，２）を介して水平方向左向き（第２の方向）に導入される連続用紙１０の一方の面１０ｃに当接してその搬送方向を斜め左下向き（第３の方向）に変更して導き出すための第２ガイドロール３を備えている。ここで、第２ガイドロール３における接触角度は４４度である。
【００１４】
さらに、本実施形態の搬送方向変更機構は、第１ガイドロール（１，２）と第２ガイドロール３との間に配置され、連続用紙１０の他方の面１０ｄに当接して押圧するための第３ガイドロールとして、水平方向に所定の間隔を隔てて配置された２つのガイドロール４および５を備えている。ここで、ガイドロール４における接触角度およびガイドロール５における接触角度はともに１６度である。
【００１５】
以上のように、本実施形態では、主として第１ガイドロール（１，２）と第２ガイドロール３との作用により連続用紙１０の搬送方向を変更しているが、複数のガイドロールの配置により各ガイドロールにおける接触角度が比較的小さく抑えられている。また、第３ガイドロール（４，５）が第１ガイドロール（１，２）と第２ガイドロール３との間に配置されて、第１ガイドロール（１，２）により発生した最上紙１０ａと最下紙１０ｂとの距離差を緩和する方向に連続用紙１０を押圧している。
【００１６】
したがって、本実施形態の搬送方向変更機構では、搬送方向の変更を担う第１ガイドロール（１，２）および第２ガイドロール３において接触角度を比較的小さく抑え、第１ガイドロール（１，２）により発生した最上紙１０ａと最下紙１０ｂとの距離差を第３ガイドロール（４，５）により緩和しているので、Ｗ折りされた連続用紙１０にシワを実質的に発生させることなく、その搬送方向を変更して後続の処理装置へ導くことができる。
【００１７】
なお、上述の実施形態では、Ｗ折りされた連続用紙の搬送方向の変更に対して本発明を適用しているが、これに限定されることなく、別の形態にしたがって折り畳まれた連続用紙や複数枚の用紙を重ね合わせた形態を有する連続用紙に対しても本発明を適用することができる。
【００１８】
また、上述の実施形態では、第１ガイドロールおよび第３ガイドロールをそれぞれ２つのガイドロールで構成し、第２ガイドロールを１つのガイドロールで構成しているが、ガイドロールの数、配置、接触角度などについて様々な変形例が可能である。
【００１９】
【発明の効果】
以上説明したように、本発明では、搬送方向の変更を担う第１ガイドロールおよび第２ガイドロールにおいて接触角度を比較的小さく抑え、第１ガイドロールにより発生する最上紙と最下紙との距離差を第３ガイドロールにより緩和しているので、たとえばＷ折りされた連続用紙にシワを実質的に発生させることなく、その搬送方向を変更して後続の処理装置へ導くことができる。
【図面の簡単な説明】
【図１】本発明の実施形態にかかる搬送方向変更機構の構成を概略的に示す図である。
【図２】Ｗ折りされた連続用紙の搬送方向を従来技術にしたがって通常のガイドロールにより変更すると連続用紙にシワが発生する様子を説明する図である。
【符号の説明】
１，２　第１ガイドロール
３　第２ガイドロール
４，５　第３ガイドロール
１０　連続用紙
１０ａ　連続用紙の最上紙
１０ｂ　連続用紙の最下紙
１０ｃ　連続用紙の一方の面
１０ｄ　連続用紙の他方の面
【図１】
2004083227.tif 000003
【図２】
2004083227.tif 000004